(57)【要約】      （修正有）【課題】煩雑な作業を経ることなく詰め替えができる、経済的なウエットシート容器を提供する。【解決手段】ウエットシート容器１は、詰め替え用のウエットシート２０が収容された袋状の容器本体２に、ウエットシート取出し口部１０を取り付け、容器本体の上端にファスナー９を有する開封部６を備える。【選択図】図１
0003214917.tif 000002
【実用新案登録請求の範囲】
【請求項１】
ロール状のウエットシートが収容される袋状の容器本体と、
前記容器本体に取り付けられたウエットシート取出し口部と、を有する、
ことを特徴とするウエットシート容器。
【請求項２】
前記容器本体の端部にファスナーが備えられた、
ことを特徴とする請求項１に記載されたウエットシート容器。
【請求項３】
前記容器本体に持ち手部が備えられた、
ことを特徴とする請求項１または請求項２に記載されたウエットシート容器。
【請求項４】
詰め替え用ロール状ウエットシートが収容された袋状の容器本体に、ウエットシート取出し口部が備えられた、
ことを特徴とするウエットシート容器。
【考案の詳細な説明】
【技術分野】
【０００１】
本考案は、ウエットシート容器に関するものである。
【背景技術】
【０００２】
従来、ウエットシートは、例えば下記特許文献１に記載されているとおり、ロール状に巻かれた状態で、円筒状のプラスチック製の容器に収容されて販売されている。容器の上面には、ウエットシートの取出し口が備えられ、この取出し口からウエットシートが取り出される。
【０００３】
ウエットシートを使い切った消費者は、新たにウエットシートを購入する際、再びプラスチック製の容器ごとウエットシートを購入する。しかし、使用済みの容器が廃棄物となって資源の無駄となり、また、製品の価格に容器の対価が含まれているため、消費者は同じ容器に対して再びお金を支払う必要がある。
【０００４】
そこで、使用済みの容器を再利用できるように、詰め替え用のウエットシートのみが販売されている。詰め替え用のウエットシートを購入した消費者は、使用済みの容器にウエットシートを収容することで、再び同じ容器を使ってウエットシートを使用することができる。販売時に詰め替え用のウエットシートが収容された袋は、比較的安価であるため、経済的である。
【先行技術文献】
【特許文献】
【０００５】
【特許文献１】特開２０１２−１７１４４号公報
【考案の概要】
【考案が解決しようとする課題】
【０００６】
しかし、詰め替え用のウエットシートを、使用済みの容器に詰め替える作業は、煩雑であり、また、販売時に詰め替え用ウエットシートが収容されていた袋は、廃棄物となる。
【０００７】
本考案は、上記の実情に鑑みて提案されたものである。すなわち、煩雑な作業を経ることなく、経済的なウエットシート容器の提供を目的とする。
【課題を解決するための手段】
【０００８】
上記目的を達成するために、本考案に係るウエットシート容器は、ロール状のウエットシートが収容される袋状の容器本体と、前記容器本体に取り付けられたウエットシート取出し口部と、を有する、ことを特徴とする。
【０００９】
本考案に係るウエットシート容器は、前記容器本体の端部にファスナーが備えられた、ことを特徴とする。
【００１０】
本考案に係るウエットシート容器は、前記容器本体に持ち手部が備えられた、ことを特徴とする。
【００１１】
本考案に係るウエットシート容器は、詰め替え用ロール状ウエットシートが収容された袋状の容器本体に、ウエットシート取出し口部が備えられた、ことを特徴とする。
【考案の効果】
【００１２】
本考案に係るウエットシート容器は、ロール状のウエットシートが収容される袋状の容器本体と、容器本体に取り付けられたウエットシート取出し口部とを有している。すなわち、容器本体が袋状であるため、剛性のプラスチック製の容器などと比較して、安価である。したがって、経済的である。また、容器本体にウエットシート取出し口部が備えられているため、別の容器に詰め替えることなく利用することができる。したがって、煩雑な作業を経る必要がない。
【００１３】
本考案に係るウエットシート容器は、容器本体の端部にファスナーが備えられている。この構成により、利用者は、ファスナーから容器本体を開封し、ウエットシートを容器本体の内側からウエットシート取出し口部を通して外側に出し、再び容器本体を閉じてファスナーで密封する。仮に、ウエットシートがウエットシート取出し口部から外れて容器本体の内側に入り、外側から取り出すことができなくなった場合であっても、ファスナーを介して、ウエットシートを容器本体の内側から再びウエットシート取出し口部に通して外側に出すことができる。
【００１４】
本考案に係るウエットシート容器は、容器本体に持ち手部が備えられている。したがって、利用者が持ち手部を容易に把持することができ、容器本体を持ち運ぶことができる。また、所望の位置に持ち手部を引っ掛けることで、利用者がウエットシートを使いやすい位置に、容器本体を設置することができる。
【００１５】
本考案に係るウエットシート容器は、詰め替え用ロール状ウエットシートが収容された袋状の容器本体に、ウエットシート取出し口部が備えられている。容器本体が安価であるため、経済的である。また、詰め替える作業を要しないため、煩雑な作業を経る必要がない。
【図面の簡単な説明】
【００１６】
【図１】本考案の実施形態に係るウエットシート容器の外観斜視図である。
【考案を実施するための形態】
【００１７】
以下に、本考案の実施形態に係るウエットシート容器を図面に基づいて説明する。図１は、ウエットシート容器１が示されている。なお、図１に示されているとおり、設置面に対して垂直な高さ方向を上下とし、側面を前後とし、幅方向を左右とする。
【００１８】
図１に示されているとおり、ウエットシート容器１は、袋状の容器本体２と、この容器本体２に取り付けられたウエットシート取出し口部１０と、容器本体２に備えられた持ち手部１５とを有している。
【００１９】
容器本体２は、例えば、ポリプロピレン、ポリスチレン、ポリアミドなどであり、ほぼ四角形に形成された前面部３および後面部４と、下端のマチ部である底部５とから構成されている。前面部３と後面部４との左右側端、前面部３と後面部４との上端、前面部３および後面部４の下端と底部５の周縁とは、それぞれシールされている。容器本体３の上端は、開封部６が形成されている。開封部６は、容器本体２の左側端に形成された切込み部７と、この切込み部７から右側端に渡って切り離される開封片部８と、この開封片部８の直下において左右端に渡って形成されたファスナー９とで構成されている。開封片部８が容器本体２から切り離されると、ファスナー９が容器本体２の上端に露出する。ファスナー９が開封されると、前面部３と後面部４とが上端において離れ、容器本体２の上端が開口する。再びファスナー９を介して前面部３と後面部４とが上端において嵌合すると、容器本体２の上端が閉じる。
【００２０】
ウエットシート取出し口部１０は、前面部３の上部に取り付けられている。ウエットシート取出し口部１０は、前面部３に取り付けられたベース部１１と、このベース部１１に対して開閉する蓋部１３とから構成されている。ベース部１１は、長円形または楕円形の平板状であり、ほぼ中央に取出し孔１２が形成されている。蓋部１３は、平板状であり、ほぼ円形であると共に上端の一部が上方に突出してヒンジ部１４が形成されている。ヒンジ部１４がベース部１１に連接された状態で、蓋部１３はベース部１１の取出し孔１２を覆っている。なお、ベース部１１や蓋部１３の形状は任意である。
【００２１】
持ち手部１５は、容器本体２の上端近傍であって、右側部に備えられている。持ち手部１５は、容器本体２に持ち手孔１６が形成され、この持ち手孔１６に紐１７が通されたことで実現されている。持ち手孔１６が大きく、利用者の指が入る大きさであれば、紐１７は省略してもよい。容器本体２は、持ち手孔１６によって内部の気密を妨げることがないよう加工されている。なお、持ち手部１５は左側部に備えられていてもよい。
【００２２】
容器本体２に収容されたウエットシート２０は、ロール状であり、いわゆる詰め替え用である。ウエットシート２０は、例えば、レーヨン、ポリエステルなどであり、水、エタノール、薬液などで湿潤している。
【００２３】
上記のとおり、ウエットシート容器１が構成されている。ウエットシートを利用する際、利用者は、容器本体２を開封し、ウエットシート２０を容器本体２の内側からウエットシート取出し口部１０を通して外側に出し、再び容器本体２を閉じてファスナー９で密封する。なお、予めウエットシート２０がウエットシート取出し口部１０に引っ掛けられた状態であれば、開封部６はなくてもよい。
【００２４】
次に、ウエットシート容器１の効果を説明する。
【００２５】
上記したとおり、ウエットシート容器１は、詰め替え用のウエットシート２０が収容された袋状の容器本体２に、ウエットシート取出し口部１０が取り付けられたものである。すなわち、容器本体２が袋状であるため、剛性のプラスチック製の容器などと比較して、安価である。したがって、経済的である。また、容器本体２にウエットシート取出し口部１０が備えられていれば、別の容器に詰め替えることなく利用することができる。したがって、煩雑な作業を経る必要がない。
【００２６】
ウエットシート容器１は、容器本体２の上端にファスナー９が備えられている。この構成により、仮に、ウエットシート２０がウエットシート取出し口部１０から外れて容器本体２の内側に入り、外側から取り出すことができなくなった場合であっても、ファスナー９を介して、ウエットシート２０を容器本体２の内側から再びウエットシート取出し口部１０に通して外側に出すことができる。
【００２７】
ウエットシート容器１は、容器本体２に持ち手部１５が備えられている。したがって、利用者が持ち手部１５を容易に把持することができ、容器本体２を持ち運ぶことができる。また、所望の位置に持ち手部１５を引っ掛けることで、利用者がウエットシート２０を使いやすい位置に、容器本体２を設置することができる。
【００２８】
なお、利用者がウエットシート２０を使い切った場合、利用者は、空のウエットシート容器１を再利用することもできる。すなわち、利用者は、詰め替え用のウエットシート２０を別途購入し、ウエットシート容器１に詰め替える。この場合の詰め替え用のウエットシート２０は、ウエットシート取出し口部１０が備えられていない容器に収容されている。すなわち、この容器は、ウエットシート取出し口部１０が備えられていない分、ウエットシート取出し口部１０が備えられたウエットシート容器１と比較して、安価である。したがって、さらに経済的である。
【００２９】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３０】
１    ウエットシート容器
２    容器本体
３    前面部
４    後面部
５    底部
６    開封部
７    切込み部
８    開封片部
９    ファスナー
１０  ウエットシート取出し口部
１１  ベース部
１２  取出し孔
１３  蓋部
１４  ヒンジ部
１５  持ち手部
１６  持ち手孔
１７  紐
２０  ウエットシート
【図１】
0003214917.tif 000003